(57)【要約】      （修正有）【課題】軟質材料で形成されたルアーの裂開又は裂損を防止するとともに、ルアー仕掛けの準備を容易に行うことができ、且つ、ルアーの重量バランスを任意に調整することが可能な釣り用シンカー及び釣り用ルアーを提供する。【解決手段】釣り用シンカー１０は、軟質材料で形成された擬餌ワーム６０の内部に一部又は全部が挿入されて用いられるものであり、擬餌ワームの内部に挿入される挿入部を有する本体部１１と、挿入部の先端に設けられ、擬餌ワームの内部に挿入された状態で擬餌ワームを貫通するフック２０が係止される環状部１３と、を備える。【選択図】図２
0003224914.tif 000002
【実用新案登録請求の範囲】
【請求項１】
軟質材料で形成されたルアーの内部に一部又は全部が挿入されて用いられる釣り用シンカーであって、
前記ルアーの内部に挿入される挿入部を有する錘本体と、
前記挿入部の先端に設けられ、前記ルアーの内部に挿入された状態で前記ルアーを貫通するフックが係止されるフック係止部と、を備える釣り用シンカー。
【請求項２】
前記フック係止部は、前記フックが挿通される環状部を含む、請求項１に記載の釣り用シンカー。
【請求項３】
前記錘本体は、棒状に形成されている、請求項１又は２に記載の釣り用シンカー。
【請求項４】
前記フック係止部は、前記ルアーに対する前記錘本体の挿入方向に沿って複数設けられている、請求項１から３のいずれかに記載の釣り用シンカー。
【請求項５】
前記錘本体が前記ルアーの内部に挿入された状態で前記ルアーに対する前記錘本体の挿入方向に抵抗を生じさせる滑り止め部が前記錘本体の外周面に形成されている、請求項１から４のいずれかに記載の釣り用シンカー。
【請求項６】
軟質材料で形成されたルアー本体と、
前記ルアー本体の内部に一部又は全部が挿入された釣り用シンカーと、を備え、
前記釣り用シンカーは、
前記ルアー本体の内部に挿入される挿入部を有する錘本体と、
前記挿入部の先端に固定され、前記ルアー本体の内部に挿入された状態で前記ルアー本体を貫通したフックが係止されるフック係止部と、を備える釣り用ルアー。
【考案の詳細な説明】
【技術分野】
【０００１】
本考案は、魚釣りに用いられる釣り用シンカー及び釣り用ルアーに関する。
【背景技術】
【０００２】
従来、魚釣りにおいて、ルアーと称される疑似餌を用いてターゲットとなるブラックバスなどの対象魚を釣る所謂ルアーフィッシングが広く知られている。
【０００３】
ルアーフィッシングに使用されるルアーの一例として、軟質材料で形成された生き餌形状のワームと称される軟質ルアーが知られている。ワームなどの軟質ルアーを用いた釣り用仕掛けとして、図６に示すように、ストレート状の軟質ルアー２００の胴体２０１にフック２２０を縦刺して、軟質ルアー２００の胴体２０１の端部からネイルシンカーと称される錘２１０を内部に刺し込んでなるものが知られている。このような釣り用仕掛け或いは当該釣り用仕掛けを用いた釣法は、ネコリグと称されている。
【０００４】
また、従来、軟質疑似餌の内部に埋め込まれる釣針係止部を有する擬似餌仕掛け用錘が公知である（特許文献１参照）。
【先行技術文献】
【特許文献】
【０００５】
【特許文献１】特開２００６−３２５４６８号公報
【考案の概要】
【考案が解決しようとする課題】
【０００６】
しかしながら、上述した従来のネコリグでは、軟質ルアーにフックが直接貫通されて用いられるため、ロッド操作によりルアーにアクションを加えた場合や、水中の障害物に引っ掛かったルアーを回収しようとした場合に、フックが貫通した部分で軟質ルアーが裂開又は裂損する。また、軟質ルアーの内部に金属メッシュなどを挿入して、その金属メッシュにフックを貫通させることにより、軟質ルアーの裂開又は裂損を抑制することは可能であるが、この場合、ネイルシンカーに加えて前記金属メッシュを軟質ルアーに装着する必要があり、ネコリグの準備が煩わしい。また、２部材を軟質ルアーに装着させることにより、軟質ルアーの水中でのバランスが安定せず、釣り人の思うままにルアーを動作させることが困難である。また、前掲した従来の擬似餌仕掛け用錘では、軟質ルアーの裂開又は裂損を抑制することはできるが、軟質ルアーの外部に錘本体が配置されるため、ルアーの重量バランスを調整することができない。
【０００７】
本考案は、軟質材料で形成されたルアーの裂開又は裂損を防止するとともに、ルアー仕掛けの準備を容易に行うことができ、且つ、ルアーの重量バランスを釣り人の任意に調整することが可能な釣り用シンカー及び釣り用ルアーを提供することにある。
【課題を解決するための手段】
【０００８】
(1)  本考案の一の局面に係る釣り用シンカーは、軟質材料で形成されたルアーの内部に一部又は全部が挿入されて用いられる釣り用シンカーである。前記釣り用シンカーは、前記ルアーの内部に挿入される挿入部を有する錘本体と、前記挿入部の先端に設けられ、前記ルアーの内部に挿入された状態で前記ルアーを貫通するフックが係止されるフック係止部と、を備える。
【０００９】
このように構成されているため、フックがルアーの内部においてフック係止部に係止されることにより、ルアーの内部においてフックを安定した位置に保持させることができる。また、釣り人がリトリーブ或いはロッド操作によってルアーをアクションさせた場合でも、そのアクション時の衝撃がフックからルアーに直接に伝達せず、フックからフック係止部に伝達する。そのため、その衝撃によってルアーが裂開又は裂損することを防止できる。また、ルアーの裂開又は裂損を防止するための別部材を別途設ける必要がないため、釣り人は、釣り用シンカーが装着されたルアーに対してフックを装着するまでの準備を比較的簡単に行うことができる。また、ルアーに対する釣り用シンカーの挿入深さを調整することによって、釣り人は、ルアーにおける重量バランスを任意に調整することができる。更に、釣り人は、挿入深さの調節によって、ルアーにおけるフックの取付位置を任意に定めることができる。
【００１０】
(2)  前記フック係止部は、フックが挿通される環状部を含むものである。
【００１１】
これにより、フックを環状部の通し孔に通すことによって、フックを確実に係止させることができる。
【００１２】
(3)  前記錘本体は、棒状に形成されたものである。
【００１３】
これにより、ルアーに対して釣り用シンカーを挿入し易くなり、しかも、ルアーにおける釣り用シンカーの挿入深さを調整し易くなる。
【００１４】
(4)  前記フック係止部は、前記ルアーに対する前記錘本体の挿入方向に沿って複数設けられたものである。
【００１５】
これにより、釣り人は、フックの係止位置を複数のフック係止部から選択することができる。
【００１６】
(5)  前記錘本体が前記ルアーの内部に挿入された状態で前記ルアーに対する前記錘本体の挿入方向に抵抗を生じさせる滑り止め部が前記錘本体の外周面に形成されている。
【００１７】
これにより、ルアーの内部に挿入された釣り用シンカーの抜け外れを抑制することができる。
【００１８】
(6)  本考案の他の局面に係る釣り用ルアーは、軟質材料で形成されたルアー本体と、
前記ルアー本体の内部に一部又は全部が挿入された釣り用シンカーと、を備える。前記釣り用シンカーは、前記ルアー本体の内部に挿入される挿入部を有する錘本体と、前記挿入部の先端に固定され、前記ルアー本体の内部に挿入された状態で前記ルアー本体を貫通したフックが係止されるフック係止部と、を備える。
【考案の効果】
【００１９】
本考案によれば、軟質材料で形成されたルアーの裂開又は裂損を防止するとともに、ルアー仕掛けの準備を容易に行うことができ、且つ、ルアーの重量バランスを釣り人の任意に調整することが可能である。
【図面の簡単な説明】
【００２０】
【図１】図１は、本考案の実施形態に係る釣り用シンカー１０を示す斜視図である。
【図２】図２は、本考案の実施形態に係る釣り用シンカー１０が内部に装着された擬餌ワーム１００を示す模式図である。
【図３】図３は、本考案の実施形態に係る釣り用シンカー１０の環状部１３の他の実施形態を示す部分拡大図である。
【図４】図４は、本考案の実施形態に係る釣り用シンカー１０の環状部１３の他の実施形態を示す部分拡大図である。
【図５】図５は、本考案の実施形態に係る釣り用シンカー１０の本体部１１の他の実施形態を示す拡大図である。
【図６】図６は、従来技術を示す模式図である。
【考案を実施するための形態】
【００２１】
以下、適宜図面を参照して本考案の実施形態について説明する。なお、以下に説明される実施形態は本考案を具体化した一例にすぎず、本考案の技術的範囲を限定するものではない。
【００２２】
図１は、本考案の実施形態に係る釣り用シンカー１０を示す斜視図であり、図２は、釣り用シンカー１０が内部に装着された擬餌ワーム１００を示す模式図である。
【００２３】
図１に示すように、釣り用シンカー１０は、バスフィッシングやソルトルアーフィッシングなどのルアーフィッシングにおいて、軟質樹脂（軟質材料）で形成された擬餌ワーム１００（図２参照）の内部に、一部又は全部が挿入されて用いられる釣り用錘（釣具）である。具体的には、擬餌ワーム１００の重量をアップさせて擬餌ワーム１００を目的の場所に飛ばしたり、水中での浮力を調整して擬餌ワーム１００を目的の水深に投入するための釣具である。
【００２４】
釣り用シンカー１０が適用可能なルアーは、ミミズやイソメなどのワームの形状に形成された擬餌ワーム１００に限られず、例えば、補食される魚などのベイトフィッシュを模した形状に形成されたものであってもよく、また、ターゲットとなる対象魚が補食するエビや、カニなどの水棲生物の形状を模したものであってもよい。
【００２５】
図１に示すように、釣り用シンカー１０は、大別すると、本体部（本考案の錘本体の一例）１１と、フック係止用の環状部１３（本考案のフック係止部の一例）と、を有している。
【００２６】
本体部１１は、比較的比重の大きい金属によって形成された細い棒状のものである。本体部１１の材質としては、例えば、鉛、タングステン、真鍮、鉄などが適用可能である。
【００２７】
本体部１１は、全体が細い棒状に形成されており、円柱形状に形成された胴部１１Ａと、胴部１１Ａの一方端に一体に形成された先細り形状に形成された挿入部１１Ｂ（本考案の挿入部の一例）とを有する。
【００２８】
本体部１１は、釣り用シンカー１０に必要とされる重量を決定するものであり、その重量に応じたサイズに形成されている。つまり、前記重量に応じた長さ又は外径に形成されている。本実施形態では、擬餌ワーム１００に対する釣り用シンカー１０の挿入深さを任意に調整しやすいように、擬餌ワーム１００に対する挿入方向に長く形成されている。
【００２９】
また、胴部１１Ａの外周面には、擬餌ワーム１００に釣り用シンカー１０を挿入し易いように、凹凸などは形成されておらず、平滑な面に形成されている。
【００３０】
挿入部１１Ｂは、擬餌ワーム１００の長手方向の一方端１０１から、擬餌ワーム１００の内部に挿入される部分である。挿入部１１Ｂは、擬餌ワーム１００に挿入し易いように、先細りの円錐形状に形成されている。
【００３１】
環状部１３は、挿入部１１Ｂの先端部に設けられている。環状部１３は、擬餌ワーム１００の内部に挿入部１１Ｂが挿入された状態で、擬餌ワーム１００を貫通するフック２０が内孔に挿入されて係止される部分である。
【００３２】
環状部１３は、鋼製の線材を屈曲させて形成されたものである。所定長さにカットした前記線材の中央部分をベンダーなどによって屈曲することにより、フック２０の針先からカエシ、ゲイブに至る部分が挿通可能なサイズの通し孔１３Ａを形成し、前記線材の両端部に至る脚部１３Ｂを本体部１１に固定することにより、環状部１３が本体部１１に固定される。
【００３３】
なお、環状部１３の材質は、例えば、ピアノ線、硬鋼線、日本工業規格（ＪＩＳ  Ｇ  ４３０８）に定められるステンレス鋼線材である。もちろん、ルアーフィッシングに要求される強度を備えるものであれば、環状部１３の材質は鋼製のものに限られず、強度、剛性、硬度に優れており、耐腐食性の高いポリアセタールやポリカーボネートなどの合成樹脂で構成された樹脂製の線材を用いることも可能である。
【００３４】
なお、環状部１３の上述の線材で形成したものに限られない。例えば、金属板を打ち抜くことにより環状部１３が形成されてもよい。
【００３５】
図２に示すように、挿入部１１Ｂが擬餌ワーム１００の一方端１０１から内部へ向けて押し込まれると、擬餌ワーム１００の内部に環状部１３及び挿入部１１Ｂが挿入される。挿入深さは任意であり、図２では、本体部１１のほとんどが擬餌ワーム１００の内部に挿入されるまで挿入された状態が示されている。この状態で、図２に示すように、擬餌ワーム１００の一方端１０１側のヘッド部１０２にフック２０が貫通される際に、フック２０が環状部１３の通し孔１３Ａに挿通される。これにより、擬餌ワーム１００の内部において、フック２０が釣り用シンカー１０の環状部１３に係止される。
【００３６】
以上説明したように本実施形態の釣り用シンカー１０が構成されているため、フック２０が擬餌ワーム１００の内部において環状部１３に挿通されることにより、擬餌ワーム１００の内部においてフック２０を安定した位置に保持させることができる。また、釣り人がリトリーブ或いはロッド操作によって擬餌ワーム１００をアクションさせた場合でも、そのアクション時の衝撃がフック２０から擬餌ワーム１００に直接に伝達せず、フック２０から環状部１３に伝達するため、その衝撃によって擬餌ワーム１００が裂開又は裂損することを防止できる。また、擬餌ワーム１００の裂開又は裂損を防止するための別部材を別途設ける必要がないため、釣り人は、釣り用シンカー１０が装着された擬餌ワーム１００に対してフック２０を装着するまでの準備を比較的簡単に行うことができる。
【００３７】
また、胴部１１Ａの外周面に滑り止めとして機能する凹凸が形成されていなくても、擬餌ワーム１００の内部において、フック２０が環状部１３の通し孔１３Ａに挿通されることによって、釣り用シンカー１０が擬餌ワーム１００から抜け外れることを防止できる。
【００３８】
また、擬餌ワーム１００に対する釣り用シンカー１０の挿入深さを調整することによって、釣り人は、擬餌ワーム１００における重量バランスを任意に調整することができる。更に、釣り人は、擬餌ワーム１００におけるフック２０の取付位置を任意に定めることができる。
【００３９】
なお、上述の実施形態では、本考案のフック係止部の一例として、１つの通し孔１３Ａを有する環状部１３を例示したが、本考案はこの構成に限れない。例えば、図３に示すように、本考案のフック係止部の実施形態として、擬餌ワーム１００に対する挿入方向に沿って複数の通し孔１３Ａが連なるように形成された環状部１３１を適用することも可能である。なお、図３には、２つの通し孔１３Ａを有する環状部１３１が示されているが、環状部１３１は、３つ以上の複数の通し孔１３Ａを有していてもよい。この場合、環状部１３１は、上述した環状部１３と同様に、鋼製の線材を屈曲させて形成することができる。
【００４０】
この構成であれば、釣り人は、複数の通し孔１３Ａから任意に選択した１つの通し孔１３Ａにフック２０を挿通することができ、これにより、擬餌ワーム１００における釣り用シンカー１０の挿入深さを任意に調整できることに加えて、擬餌ワーム１００におけるフック２０の取付位置も任意に選択することができる。その結果、釣り用シンカー１０の挿入深さとフック２０の取付位置との組み合わせ次第で、擬餌ワーム１００の重量バランスを多様に調整することが可能となる。
【００４１】
また、本考案のフック係止部の他の実施形態として、図４に示すように、挿入部１１Ｂを貫通する通し孔１３Ａを有する環状部１３２を適用することも可能である。ここで、図４（Ａ）は上面図であり、図４（Ｂ）は側面図である。図４（Ｂ）に示すように、挿入部１１Ｂの先端側は薄い平板形状に形成されており、その中央に通し孔１３Ａが形成されている。つまり、環状部１３２は、釣り用シンカー１０の本体部１１に直接形成されている。なお、図４には、１つの通し孔１３Ａを有する環状部１３２が示されているが、環状部１３２は、前記挿入方向にそって複数の通し孔１３Ａが形成されたものであってもよい。この構成であれば、錘を成す鉛やタングステン、真鍮などの材料のみで釣り用シンカー１０を形成することが可能である。
【００４２】
また、上述の実施形態では、本考案のフック係止部の一例として環状部１３，１３１，１３２を例示したが、フック２０を係止可能な形状であれば、如何なる形状に形成されていてもよい。
【００４３】
また、上述の実施形態では、本体部１１の胴部１１Ａの外周面が平滑な面である構成を例示したが、例えば、本体部１１は、図５に示すように、様々な形状のものを適用することが可能である。ここで、図５は、本考案の実施形態に係る釣り用シンカー１０の本体部１１の他の実施形態を示す拡大図である。なお、図５では、環状部１３の図示が省略されている。また、図５（Ａ），（Ｂ）では、中心線から上半分が外形状を示し、下半分が断面形状を示している。
【００４４】
例えば、本体部１１は、図５（Ａ）に示すように、前記挿入方向に複数の傾斜段部１５（本考案の滑り止め部の一例）が形成された胴部１１Ａ１を有するものであってよい。ここで、傾斜段部１５は、擬餌ワーム１００に対して釣り用シンカー１０が挿入されやすく、且つ抜け外れ難くするために、前記挿入方向へ先細り形状に形成されている。
【００４５】
また、本体部１１は、図５（Ｂ）に示すように、前記挿入方向に隔てて複数の溝１６（本考案の滑り止め部の一例）が形成された胴部１１Ａ２を有するものであってよい。この場合、擬餌ワーム１００に対して釣り用シンカー１０が抜け外れ難くなる。なお、図５（Ｂ）では、等間隔に隔てられた３つの溝１６からなる３つの溝群が挿入方向に隔てられた構成が示されているが、溝１６の数や配置間隔は図５（Ｂ）の例に限られない。
【００４６】
また、本体部１１は、図５（Ｃ）に示すように、外周面に複数の凸部１７（本考案の滑り止め部の一例）が形成された胴部１１Ａ３を有するものであってよい。これらの凸部１７は、胴部１１Ａ３の外周面に散在している。この場合、擬餌ワーム１００に対して釣り用シンカー１０が抜け外れ難くなり、且つ、回転ズレが生じ難くなる。なお、凸部１７は、擬餌ワーム１００に対して釣り用シンカー１０が挿入されやすいように、前記挿入方向に傾斜するくさび形状に形成されていてもよい。
【００４７】
また、上述の実施形態では、本考案の一実施形態として、擬餌ワーム１００に装着して用いられる釣り用シンカー１０を例示したが、本考案はこれに限られない。例えば、本考案は、上述した実施形態の釣り用シンカー１０が、擬餌ワーム１００などの軟質材料で形成されたルアー本体に取り付けられた釣り用ルアーであってもよい。このような構成の釣り用ルアーであっても、上述した実施形態の釣り用シンカー１０が奏する効果と同じ効果を奏することができる。
【符号の説明】
【００４８】
１０      ：釣り用シンカー
１１      ：本体部
１１Ａ    ：胴部
１１Ａ１  ：胴部
１１Ａ２  ：胴部
１１Ａ３  ：胴部
１１Ｂ    ：挿入部
１３      ：環状部
１３Ａ    ：通し孔
１３Ｂ    ：脚部
１５      ：傾斜段部
１６      ：溝
１７      ：凸部
２０      ：フック
１００    ：擬餌ワーム
１０１    ：一方端
１０２    ：ヘッド部
１３１    ：環状部
１３２    ：環状部
【図１】
0003224914.tif 000003
【図２】
0003224914.tif 000004
【図３】
0003224914.tif 000005
【図４】
0003224914.tif 000006
【図５】
0003224914.tif 000007
【図６】
0003224914.tif 000008